(57)【要約】【課題】ヒーター管から放射される赤外線のすべてをターゲットに照射することができ、ターゲットを短時間に効率よく加熱することができる加熱装置を提供する。【解決手段】加熱装置１０Ａは、赤外線を放射する前後方向へ長いヒーター管１３と、内周面１５の断面形状が楕円形に成形された周壁１６および周壁１６の内側に画成された楕円スペース１９を有する反射構造物１２とから形成されている。加熱装置１０Ａでは、ヒーター管１３が楕円スペース１９における楕円形の長軸上に存する第１焦点ｆ１に配置され、ターゲット２４が楕円スペース１９における楕円形の長軸上に存する第２焦点ｆ２に配置され、ヒーター管１３から放射されて周壁１６の内周面１５に反射された赤外線が第２焦点ｆ２に集束する。【選択図】図１
2010092594.tif 000002
【特許請求の範囲】
【請求項１】
赤外線を放射する一方向へ長い熱源と、前記熱源から放射された赤外線を反射する反射構造物とを備え、前記熱源から放射される赤外線によって所定のターゲットを加熱する加熱装置において、
前記反射構造物が、前記一方向と交差する方向の内周面の断面形状が楕円形に成形されて該一方向へ延びる周壁と、前記周壁の内側に画成されて前記一方向へ延びる楕円スペースとを有し、前記熱源が、前記楕円スペースにおける楕円形の長軸上に存する第１焦点に配置され、前記ターゲットが、前記楕円スペースにおける楕円形の長軸上に存して前記第１焦点に対向する第２焦点に配置され、前記熱源から放射されて前記周壁の内周面に反射された赤外線が、前記第２焦点に集束することを特徴とする加熱装置。
【請求項２】
前記反射構造物では、前記第２焦点が前記第１焦点よりも上方に位置し、前記ターゲットがその下方に位置する前記熱源から放射された赤外線によって加熱される請求項１記載の加熱装置。
【請求項３】
前記反射構造物が、前記第２焦点を中心としてその周り方向へ並ぶ複数の前記周壁と、それら周壁の内側に画成された複数の前記楕円スペースとを有し、前記反射構造物では、前記第２焦点近傍においてそれら周壁どうしが互いに連結され、かつ、それら周壁のうちの連結部位から互いに重なり合う部分が存在しないことで、前記第２焦点を共有しつつ該第２焦点から離間する第１焦点を別々に有する請求項１または請求項２に記載の加熱装置。
【請求項４】
前記加熱装置が、前記ターゲットを前記第２焦点において前記一方向一方から他方に向かって移動させる移動手段を有する請求項１ないし請求項３いずれかに記載の加熱装置。
【発明の詳細な説明】
【技術分野】
【０００１】
本発明は、熱源から放射された赤外線によって所定のターゲットを加熱する加熱装置に関する。
【背景技術】
【０００２】
凹状の楕円鏡面を有する半楕円反射鏡と、その半楕円反射鏡の内側に存在する第１焦点に配置された赤外線点熱源とを備え、半楕円反射鏡から所定寸法離間した位置に配置されたターゲットを点熱源から放射された赤外線によって加熱する赤外線加熱装置がある（特許文献１参照）。この赤外線加熱装置では、半楕円反射鏡の第１焦点に対向する第２焦点にターゲットが配置され、点熱源から直接照射される赤外線と半楕円反射鏡によって反射されて第２焦点に集光する赤外線とによってターゲットが加熱される。
【特許文献１】特開２００５−２９４２４３号公報
【発明の開示】
【発明が解決しようとする課題】
【０００３】
前記特許文献１に開示の赤外線加熱装置は、赤外線点熱源から放射されて半楕円反射鏡において反射した赤外線が第２焦点に集束するが、反射鏡はその断面形状が半楕円形に成形されているから、点熱源からターゲットに向かって放射された赤外線は第２焦点に集光せず、さらに、点熱源からターゲットに向かって放射された赤外線のうちの一部が反射鏡の周縁から周り方向外方へ拡散する。したがって、点熱源から放射される赤外線のすべてをターゲットに照射することができず、ターゲットに対する赤外線の照射効率が低下し、ターゲットを短時間に効率よく加熱することができない。
【０００４】
本発明の目的は、熱源から放射される赤外線のすべてをターゲットに照射することができ、ターゲットを短時間に効率よく加熱することができる加熱装置を提供することにある。
【課題を解決するための手段】
【０００５】
前記課題を解決するための本発明の前提は、赤外線を放射する一方向へ長い熱源と、熱源から放射された赤外線を反射する反射構造物とを備え、熱源から放射される赤外線によって所定のターゲットを加熱する加熱装置である。
【０００６】
前記前提における本発明の特徴は、反射構造物が、一方向と交差する方向の内周面の断面形状が楕円形に成形されて該一方向へ延びる周壁と、周壁の内側に画成されて一方向へ延びる楕円スペースとを有し、熱源が楕円スペースにおける楕円形の長軸上に存する第１焦点に配置され、ターゲットが楕円スペースにおける楕円形の長軸上に存して第１焦点に対向する第２焦点に配置され、熱源から放射されて周壁の内周面に反射された赤外線が第２焦点に集束することにある。
【０００７】
本発明の一例として、反射構造物では、第２焦点が第１焦点よりも上方に位置し、ターゲットがその下方に位置する熱源から放射された赤外線によって加熱される。
【０００８】
本発明の他の一例としては、反射構造物が、第２焦点を中心としてその周り方向へ並ぶ複数の周壁と、それら周壁の内側に画成された複数の楕円スペースとを有し、反射構造物では、第２焦点近傍においてそれら周壁どうしが互いに連結され、かつ、それら周壁のうちの連結部位から互いに重なり合う部分が存在しないことで、第２焦点を共有しつつ第２焦点から離間する第１焦点を別々に有する。
【０００９】
本発明の他の一例としては、加熱装置がターゲットを第２焦点において一方向一方から他方に向かって移動させる移動手段を有する。
【発明の効果】
【００１０】
本発明にかかる加熱装置によれば、反射構造物が楕円形に成形された内周面を備えた周壁とその周壁の内側に画成された楕円スペースとを有し、熱源が周壁に囲繞された楕円スペースの第１焦点に配置され、ターゲットが楕円スペースの第２焦点に配置されており、熱源から放射される赤外線が周壁の内周面において反射して第２焦点に集束する。この加熱装置は、熱源から直接ターゲットに赤外線が放射されるのみならず、直接ターゲットに放射されない赤外線が周壁の内周面において反射して第２焦点に集束し、その赤外線が第２焦点に配置されたターゲットに照射されるから、熱源から放射される赤外線のすべてをターゲットに照射させることができ、ターゲットを短時間に効率よく加熱することができるとともに、ターゲットを短時間に効率よく乾燥させることができる。この加熱装置は、熱源が一方向へ延びる熱ラインを形成し、その熱ラインから放射された赤外線が一方向へ連続する第２焦点に集束するから、第２焦点において赤外線の集束ラインが形成され、赤外線が一点に集束することがなく、ターゲットをスポット加熱することができる他、所定の長さを有するターゲットを満遍なく加熱することができるとともに、そのターゲットを満遍なく乾燥させることができる。
【００１１】
第２焦点が第１焦点よりも上方に位置し、ターゲットがその下方に位置する熱源から放射された赤外線によって加熱される加熱装置は、熱源から発生する熱の熱対流を利用することができ、ターゲットに直接照射される赤外線や周壁の内周面において反射して第２焦点に集束する赤外線に加え、熱対流を利用することでターゲットを短時間に効率よく加熱することができるとともに、ターゲットを短時間に効率よく乾燥させることができる。この加熱装置は、熱源から直接ターゲットに赤外線が放射されるのみならず、直接ターゲットに放射されない赤外線が周壁の内周面において反射して第２焦点に集束し、その赤外線が第２焦点に配置されたターゲットに照射されるから、熱源から放射される赤外線のすべてをターゲットに照射させることができる。
【００１２】
反射構造物が複数の周壁と複数の楕円スペースとを有し、第２焦点を共有しつつ第２焦点から離間する第１焦点を別々に有する加熱装置は、それら第１焦点に配置された熱源から放射されて周壁の内周面において反射された赤外線が１つの第２焦点に集束するから、複数の熱源から放射された赤外線をまとめてターゲットに照射させることができ、１つの熱源から赤外線をターゲットに照射する場合と比較し、ターゲットに照射し得る赤外線の強度を増加させることができる。この加熱装置は、各第１焦点に配置された熱源から放射されて周壁の内周面において反射された赤外線が１つの第２焦点にその周り方向から集束するから、熱源から放射される赤外線のすべてをターゲットの表面全域に照射させることができ、ターゲットを一層短時間に効率よく加熱することができるとともに、ターゲットを一層短時間に効率よく乾燥させることができる。この加熱装置は、それら第１焦点に配置された各熱源が一方向へ延びる熱ラインを形成し、それら熱ラインから放射された赤外線が一方向へ連続する１つの第２焦点に集束するから、第２焦点において赤外線の集束ラインが形成され、赤外線が一点に集束することがなく、ターゲットをスポット加熱することができる他、所定の長さを有するターゲットの全域を満遍なく加熱することができるとともに、そのターゲットを満遍なく乾燥させることができる。
【００１３】
ターゲットを第２焦点において一方向一方から他方に向かって移動させる移動手段を有する加熱装置は、ターゲットの赤外線の集束ライン上における移動時間や集束ラインの長さを調節することで、ターゲットの加熱・乾燥時間を容易に調整することができる。この加熱装置は、それを連続して運転しつつ、複数のターゲットの連続的な加熱・乾燥を可能にすることができる。
【発明を実施するための最良の形態】
【００１４】
添付の図面を参照し、本発明にかかる加熱装置の詳細を説明すると、以下のとおりである。図１は、一例として示す加熱装置１０Ａの斜視図であり、図２は、周壁１６および保護壁１７の一部を破断して示す図１と同様の斜視図である。図３は、図１の３−３線端面図であり、図４は、周壁１６の内周面１５と楕円スペース１９とを模式的に示す図である。図５は、周壁１６の内周面１５における赤外線の反射状態を示す図４と同様の図である。図１では、前後方向（一方向）を矢印Ｌ１で示し、上下方向を矢印Ｌ２で示す。図４，５には、原点（Ｏ）およびｘ軸、ｙ軸が表示された二次元直交座標、長軸（Ａ）および短軸（Ｂ）（図４のみ）、円（Ｅ）、第１焦点（ｆ１）、第２焦点（ｆ２）が図示されている。図４，５では、ｘ軸と楕円との交点を（ａ，−ａ）とし、ｙ軸と楕円との交点を（ｂ，−ｂ）とする。
【００１５】
加熱装置１０Ａは、電気ヒーター１１と反射構造物１２とから構成されている。電気ヒーター１１には、ハロゲンヒーター、カーボンヒーター、シーズヒーター、フィンヒーターのいずれかを使用することができる。電気ヒーター１１は、前後方向へ直状に延びるヒーター管１３（熱源）と、ヒーター管１３の温度を制御するコントローラ（図示せず）とから形成されている。ヒーター管１３の一例としては、中空円筒状の耐熱鋼の内部にニクロム線を収容し、そのニクロム線を絶縁物（酸化マグネシウム等）で包被した赤外線発生管を例示することができる。しかし、ヒーター管１３を例示のそれに限定するものではなく、前記電気ヒーター１１の種類に応じた他のあらゆる構造のヒーター管１３を使用することができる。ヒーター管１３の温度は、コントローラによって設定温度に保持される。
【００１６】
反射構造物１２は、前後方向と交差する方向（一方向と交差する方向）の断面形状が楕円形に成形された内外周面１４，１５を有する周壁１６と、周壁１６の外周面１４全域を被覆保護する保護壁１７とから作られている。周壁１６と保護壁１７とは、互いに並行して前後方向へ延びている。反射構造物１２では、周壁１６の外周面１４と保護壁１７の内周面１８とがそれらの当接部位において互いに接合されている。周壁１６と保護壁１７とは、アルミやステンレス等の金属から作られている。周壁１６の内周面１５には、鏡面加工が施されている。周壁１６の内側には、周壁１６の内周面１５に囲繞された楕円スペース１９が画成されている。周壁１６の前後方向両端には、内周面１５の端縁に囲繞された開口２０，２１が画成されている。
【００１７】
楕円スペース１９は、図１に示すように、周壁１６の内周面１５が形作る前後方向へ長い空間である。楕円スペース１９の断面形状は、図３，４に示すように、原点（Ｏ）を中心として長径（Ｏａ）の長軸（Ａ）、短径（Ｏｂ）の短軸（Ｂ）を有する楕円である。原点（Ｏ）は、楕円の中心（Ｏ）となる。長軸（Ａ）上には、第１焦点（ｆ１）と第２焦点（ｆ２）とが存在する。第１焦点（ｆ１）と第２焦点（ｆ２）とは、前後方向へ連続している。任意の楕円は、図４，５に示すように、長軸長さ（２Ｏａ）、焦点長さ（２Ｏｃ）とし、ｘ軸上の第１焦点（ｆ１）を中心とする半径（ａ）の円（Ｅ）を画き、円（Ｅ）の円周とｙ軸との交点（ｂ，−ｂ）とすると、ｘ２／ａ２＋ｙ２／ｂ２＝１で表される。
【００１８】
楕円スペース１９では、たとえば、楕円の中心（Ｏ）からの長半径（Ｏａ）の長さを７００ｍｍとし、中心（Ｏ）からの短半径（Ｏｂ）の長さを４８９．９ｍｍとすると、中心（Ｏ）から第１焦点（ｆ１）までの長さ（Ｏｆ１）および中心（Ｏ）から第２焦点（ｆ２）までの長さ（Ｏｆ２）が５００ｍｍとなる。楕円スペース１９では、長半径（Ｏａ）の長さと短半径（Ｏｂ）の長さとを定めると、中心（Ｏ）から第１焦点（ｆ１）までの長さ（Ｏｆ１）および中心（Ｏ）から第２焦点（ｆ２）までの長さ（Ｏｆ２）が決まる。なお、長半径（Ｏａ）の長さや短半径（Ｏｂ）の長さ、中心（Ｏ）から第１焦点（ｆ１）までの長さ（Ｏｆ１）、中心（Ｏ）から第２焦点（ｆ２）までの長さ（Ｏｆ２）に特に限定はなく、それらを任意に設定することができる。
【００１９】
楕円スペース１９における第１焦点（ｆ１）には、ヒーター管１３が配置されている。ヒーター管１３の軸方向中心は、第１焦点（ｆ１）に位置している。ヒーター管１３は、第１焦点（ｆ１）において前後方向へ延びる熱ライン２２を形成している。楕円スペース１９における第２焦点（ｆ２）には、前後方向へ延びる集束ライン２３（ターゲットゾーン）が形成されている。第２焦点（ｆ２）には、加熱対象のターゲット２４（被加熱物）が挿脱可能に配置される。
【００２０】
この加熱装置１０Ａでは、楕円スペース１９における楕円の長軸（Ａ）が上下方向へ垂直に延び、かつ、第２焦点が第１焦点よりも上方に位置している。ゆえに、ヒーター管１３が下方に位置し、ターゲット２４がヒーター管１３の上方に位置する。ヒーター管１３の外周面から放射された赤外線は、直接ターゲット２４に向かうそれの他に、図５に示すように、周壁１６の内周面１５に向かった後、内周面１５において反射されるそれに分けることができる。周壁１６の内周面１５において反射された赤外線は、第２焦点（ｆ２）（集束ライン２３）に集束する。
【００２１】
図６は、ターゲット２４の移動手段の一例を示す図である。この加熱装置１０Ａでは、第２焦点（ｆ２）に配置されるターゲット２４を移動手段を介して前後方向一方（一方向一方）から他方へ向かって移動させることができる。なお、加熱装置１０Ａでは、必ずしも移動手段を設ける必要はなく、ターゲット２４を第２焦点（ｆ２）に固定した状態で装置１０Ａを稼動させることもできる。移動手段は、金属製の線材２５（たとえば、チェーン）と、その線材２５を前後方向一方から他方へ向かって移動させる駆動装置２６とから形成されている。線材２５は、第２焦点（ｆ２）に緊張状態で設置される。
【００２２】
ターゲット２４は、線材２５に取り付けられた金属製のフックやクリップ、挟み等の保持部材（図示せず）に保持される。駆動装置２６は、モータを利用して線材２５を周壁１６の一方の開口２０から他方の開口２１へ向かって所定の速度で移動させる。線材２５の移動にともなってターゲット２４が周壁１６の一方の開口２０から他方の開口２１へ向かって所定の速度で移動する。線材２５の移動速度は、駆動装置２６によって任意に設定することができる。
【００２３】
この加熱装置１０Ａにおけるターゲット２４の加熱手順の一例を説明すると、以下のとおりである。保持部材を介して複数のターゲット２４を線材２５に取り付けた後、電気ヒーター１１や駆動装置２６を稼動させ、加熱の準備をする。加熱準備段階では、先頭のターゲット２４が周壁１６の一方の開口２０に位置している。電気ヒーター１１が稼動し、電気ヒーター１１のヒーター管１３が設定温度になると、駆動装置２６のモータが稼動し、モータによって線材２５が前後方向前方へ引っ張られる。
【００２４】
各ターゲット２４は、線材２５の移動にともなって周壁１６の一方の開口２０から楕円スペース１９の第２焦点（ｆ２）（集束ライン２３）に進入し、他方の開口２１へ向かって第２焦点（ｆ２）を所定の速度で移動する。ヒーター管１３の外周面から周り方向外方に向かって放射された赤外線は、直接ターゲット２４に照射される他、周壁１６の内周面１５において反射して第２焦点（ｆ２）に集束し、ターゲット２４に照射される。ターゲット２４は、楕円スペース１９の第２焦点（ｆ２）を移動する過程においてその外周面が赤外線に曝露され、赤外線によって加熱される。それらターゲット２４が他方の開口２１から楕円スペース１９の外側に搬送されると、ターゲット２４の加熱が完了する。
【００２５】
なお、移動手段は、図示のそれに限定されず、たとえば、ベルトコンベアを第２焦点（ｆ２）（集束ライン２３）に設置し、ターゲット２４をコンベア上に着脱可能に固定し、コンベアの駆動を利用してターゲット２４を第２焦点（ｆ２）において前後方向へ移動させることもできる。また、レールを第２焦点（ｆ２）に設置し、そのレールに台座を取り付け、台座に嵌合するチェーンの駆動によって台座をレールにおいて移動可能にすることもできる。この場合、ターゲット２４が台座に着脱可能に固定され、台座の移動によって第２焦点（ｆ２）を前後方向へ移動する。
【００２６】
加熱装置１０Ａは、ヒーター管１３（熱源）から直接ターゲット２４に赤外線が照射されるのみならず、周壁１６の内周面１５において反射した赤外線が第２焦点（ｆ２）に集束し、その赤外線が第２焦点（ｆ２）に配置されたターゲット２４に照射されるから、ヒーター管１３から放射される赤外線のすべてをターゲット２４に照射させることができ、ターゲット２４を短時間に効率よく加熱することができるとともに、ターゲット２４を短時間に効率よく乾燥させることができる。加熱装置１０Ａは、ヒーター管１３が前後方向（一方向）へ延びる熱ライン２２を形成し、その熱ライン２２から放射された赤外線が前後方向へ連続する第２焦点（ｆ２）に集束するから、第２焦点（ｆ２）において赤外線の集束ライン２３が形成され、所定の長さを有するターゲット２４を満遍なく加熱することができるとともに、そのターゲット２４を満遍なく乾燥させることができる。
【００２７】
加熱装置１０Ａは、第２焦点（ｆ２）が第１焦点（ｆ１）よりも上方に位置し、ターゲット２４がその下方に位置するヒーター管１３から放射された赤外線によって加熱されるから、ヒーター管１３から発生する熱の熱対流を利用することができ、ターゲット２４に直接照射される赤外線や周壁１６の内周面１５において反射して第２焦点に集束する赤外線に加え、熱対流を利用することでターゲット２４を短時間に効率よく加熱することができるとともに、ターゲット２４を短時間に効率よく乾燥させることができる。加熱装置１０Ａは、ターゲット２４を第２焦点（ｆ２）において前後方向一方から他方に向かって移動させる移動手段を有するから、ターゲット２４の赤外線の集束ライン２３上における移動時間や集束ライン２３の長さを調節することで、ターゲット２４の加熱・乾燥時間を容易に調整することができる。また、加熱装置１０Ａを連続して運転しつつ、複数のターゲット２４の連続的な加熱・乾燥を可能にすることができる。
【００２８】
図１の加熱装置１０Ａでは、第２焦点が第１焦点よりも上方に位置し、ヒーター管１３がターゲット２４の下方に位置するが、第１焦点が第２焦点よりも上方（斜め上方を含む）に位置し、ターゲット２４がヒーター管１３の下方（斜め下方を含む）に位置してもよい。また、楕円スペース１９における楕円の長軸（Ａ）が横方向へ水平に延び、第１焦点と第２焦点とが横方向へ対向位置し、ターゲット２４とヒーター管１３とが横方向へ対向位置してもよい。
【００２９】
図７は、他の一例として示す加熱装置１０Ｂの斜視図であり、図８は、図７の８−８線端面図である。図９は、周壁１６Ａ，１６Ｂの内周面１５と楕円スペース１８Ａ，１９Ｂとを模式的に示す図であり、図１０は、周壁１６Ａ，１６Ｂの内周面１５における赤外線の反射状態を示す図９と同様の図である。図１１は、図７とは異なる態様の内周面１５と楕円スペース１８Ａ，１９Ｂとを模式的に示す図である。図７，８では、前後方向（一方向）を矢印Ｌ１（図７のみ）、上下方向を矢印Ｌ２で示し（図８のみ）、横方向を矢印Ｌ３で示す（図７のみ）。図８では、それら周壁１６Ａ，１６Ｂのうちの連結部位２７から一方の周壁１６Ｂの内側に延びる部分２８と他方の周壁１６Ａの内側に延びる部分２９とを一点鎖線で示す。図９には、原点（Ｏ）およびｘ軸、ｙ軸が表示された二次元直交座標、長軸（Ａ）および短軸（Ｂ）、２つの円（Ｅ）、２つの第１焦点（ｆ１）、１つの第２焦点（ｆ２）が図示されている。
【００３０】
この加熱装置１０Ｂが図１のそれと異なるところは、反射構造物１２が横方向（長軸方向）へ並ぶ２つの第１および第２周壁１６Ａ，１６Ｂを有するとともに、それら周壁１６Ａ，１６Ｂの内周面１５に囲繞された２つの第１および第２楕円スペース１９Ａ，１９Ｂを有する点にあり、その他の構成は図１の加熱装置１０Ａと同一であるから、図１と同一の符号を付すことで、この加熱装置１０Ｂにおけるその他の構成の説明は省略する。
【００３１】
反射構造物１２は、前後方向と交差する方向（一方向と交差する方向）の断面形状が楕円形に成形された内外周面１４，１５を有して横方向へ対称形に配置された第１周壁１６Ａおよび第２周壁１６Ｂと、それら周壁１６Ａ，１６Ｂの外周面１４全域を被覆保護する保護壁１７とから作られている。それら周壁１６Ａ，１６Ｂと保護壁１７とは、互いに並行して前後方向へ延びている。反射構造物１２では、それら周壁１６Ａ，１６Ｂの外周面１４と保護壁１７の内周面１８とがそれらの当接部位において互いに接合されている。周壁１６Ａ，１６Ｂと保護壁１７との材質は、図１のそれらと同一である。周壁１６Ａ，１６Ｂの内周面１５には、鏡面加工が施されている。周壁１６Ａ，１６Ｂの内側には、それら周壁１６Ａ，１６Ｂの内周面１５に囲繞された第１楕円スペース１９Ａと第２楕円スペース１９Ｂとが画成されている。周壁１６Ａ，１６Ｂの前後方向両端には、内周面１５の端縁に囲繞された開口２０，２１が画成されている。
【００３２】
第１楕円スペース１９Ａは、図７に示すように、第１周壁１６Ａの内周面１５が形作る前後方向へ長い空間であり、第２楕円スペース１９Ｂは、第２周壁１６Ｂの内周面１５が形作る前後方向へ長い空間である。なお、第１および第２楕円スペース１９Ａ，１９Ｂは、第２焦点（ｆ２）近傍の空間を共有している。それら楕円スペース１９Ａ，１９Ｂの断面形状は、図９に示すように、原点（Ｏ）を中心として長径（Ｏａ）の長軸（Ａ）、短径（Ｏｂ）の短軸（Ｂ）を有する楕円である。それら楕円スペース１９Ａ，１９Ｂの長軸（Ａ）上には、２つの第１焦点（ｆ１）と１つの第２焦点（ｆ２）とが存在する。それら第１焦点（ｆ１）と第２焦点（ｆ２）とは、前後方向へ連続している。なお、図１の加熱装置１０Ａと同様に、長半径（Ｏａ）の長さや短半径（Ｏｂ）の長さ、中心（Ｏ）から第１焦点（ｆ１）までの長さ（Ｏｆ１）、中心（Ｏ）から第２焦点（ｆ２）までの長さ（Ｏｆ２）に特に限定はなく、それらを任意に設定することができる。
【００３３】
第１周壁１６Ａと第２周壁１６Ｂとは、それら周壁１６Ａ，１６Ｂの内側に画成された楕円スペース１９Ａ，１９Ｂにおける楕円形の第２焦点（ｆ２）を中心として横方向（長軸方向）へ離間対向し、それら楕円スペース１９Ａ，１９Ｂにおける楕円形の長軸（Ａ）どうしが直線をなすように並んでいる。第１周壁１６Ａと第２周壁１６Ｂとは、第２焦点（ｆ２）から楕円形の短軸（Ｂ）方向へ延ばした仮想線３０（図８参照）と交差する部位（連結部位２７）において互いに連結されている。第１および第２周壁１６Ａ，１６Ｂでは、それら周壁１６Ａ，１６Ｂのうちの連結部位２７から一方の周壁１６Ｂの内側に延びる部分２８（図８に一点鎖線で示す部分）と他方の周壁１６Ａの内側に延びる部分２９（図８に一点鎖線で示す部分）とが存在せず、第２焦点（ｆ２）から離間する２つの第１焦点（ｆ１）どうしが第２焦点（ｆ２）を中心として一直線上に位置している。
【００３４】
第１および第２楕円スペース１９Ａ，１９Ｂにおけるそれら第１焦点（ｆ１）には、第１ヒーター管１３Ａと第２ヒーター管１３Ｂとが配置されている。それらヒーター管１３Ａ，１３Ｂの軸方向中心は、第１焦点（ｆ１）に位置している。ヒーター管１３Ａ，１３Ｂは、第１焦点（ｆ１）において前後方向へ延びる熱ライン２２を形成している。楕円スペース１９Ａ，１９Ｂにおける第２焦点（ｆ２）には、前後方向へ延びる集束ライン２３（ターゲットゾーン）が形成されている。第２焦点（ｆ２）には、加熱対象のターゲット２４が挿脱可能に配置される。ヒーター管１３Ａ，１３Ｂの外周面から放射された赤外線は、直接ターゲット２４に向かうそれの他に、図１０に示すように、周壁１６Ａ，１６Ｂの内周面１５に向かった後、内周面１５において反射されるそれに分けることができる。周壁１６Ａ，１６Ｂの内周面１５において反射された赤外線は、第２焦点（ｆ２）にその周り方向から集束する。
【００３５】
この加熱装置１０Ｂにおけるターゲット２４の加熱手順の一例を説明すると、以下のとおりである。なお、加熱装置１０Ｂには、図６に示す移動手段が設置されているものとする（ただし、ターゲット２４を第２焦点（ｆ２）に固定した状態で装置１０Ｂを稼動させることもできる。）。保持部材を介して複数のターゲット２４を線材２５に取り付けた後、電気ヒーター１１や駆動装置２６を稼動させ、加熱の準備をする。加熱準備段階では、先頭のターゲット２４が周壁１６Ａ，１６Ｂの一方の開口２０に位置している。電気ヒーター１１が稼動し、電気ヒーター１１のヒーター管１１３Ａ，１３Ｂが設定温度になると、駆動装置２６のモータが稼動し、モータによって線材２５が前後方向前方へ引っ張られる。
【００３６】
各ターゲット２４は、線材２５の移動にともなって周壁１６Ａ，１６Ｂの一方の開口２０から楕円スペース１９Ａ，１９Ｂの第２焦点（ｆ２）に進入し、他方の開口２１へ向かって第２焦点（ｆ２）（集束ライン２３）を所定の速度で移動する。ヒーター管１３Ａ，１３Ｂの外周面から周り方向外方に向かって放射された赤外線は、直接ターゲット２４に照射される他、第１および第２周壁１６Ａ，１６Ｂの内周面１５において反射して第２焦点（ｆ２）に集束し、ターゲット２４の外周面全域に照射される。ターゲット２４は、楕円スペース１９Ａ，１９Ｂの第２焦点（ｆ２）を移動する過程においてその外周面全域が赤外線に曝露され、赤外線によって加熱される。それらターゲット２４が他方の開口２１から楕円スペース１９Ａ，１９Ｂの外側に搬送されると、ターゲット２４の加熱が完了する。
【００３７】
加熱装置１０Ｂは、反射構造物１２が互いに対向する２つの周壁１６Ａ，１６Ｂとそれら周壁１６Ａ，１６Ｂの内側に画成された２つの楕円スペース１９Ａ，１９Ｂとを有し、第２焦点（ｆ２）から離間する２つの第１焦点（ｆ１）どうしがその第２焦点（ｆ２）を中心として一直線上に対向位置するから、それら第１焦点（ｆ１）に配置されたヒーター管１３Ａ，１３Ｂから放射された赤外線がそれら周壁１６Ａ，１６Ｂの内周面１５において乱反射し難く、それらヒーター管１３Ａ，１３Ｂから放射された赤外線が１つの第２焦点（ｆ２）に確実に集束する。加熱装置１０Ｂは、それら第１焦点（ｆ１）に配置された２つのヒーター管１３Ａ，１３Ｂから直接ターゲット２４に赤外線が照射されるのみならず、それらヒーター管１３Ａ，１３Ｂから放射された赤外線が周壁１６Ａ，１６Ｂの内周面１５において反射して１つの第２焦点（ｆ２）にその周り方向から集束し、その赤外線が第２焦点（ｆ２）に配置されたターゲット２４に照射されるから、ヒーター管１３Ａ，１３Ｂから放射される赤外線のすべてをターゲット２４の表面全域に照射させることができる。
【００３８】
加熱装置１０Ｂは、２つのヒーター管１３Ａ，１３Ｂから放射された赤外線をまとめてターゲット２４に照射させることができ、１つのヒーター管１３から赤外線をターゲット２４に照射する場合と比較し、ターゲット２４に照射し得る赤外線の強度を増加させることができ、ターゲット２４を一層短時間に効率よく加熱することができるとともに、ターゲット２４を一層短時間に効率よく乾燥させることができる。加熱装置１０Ｂは、ターゲット２４を第２焦点（ｆ２）において前後方向一方から他方に向かって移動させる移動手段を有するから、ターゲット２４の赤外線の集束ライン２３上における移動時間や集束ライン２３の長さを調節することで、ターゲット２４の加熱時間を容易に調整することができる。また、加熱装置１０Ｂを連続して運転しつつ、複数のターゲット２４の連続的な加熱、乾燥を可能にすることができる。
【００３９】
加熱装置１０Ｂでは、反射構造物１２が２つの周壁１６Ａ，１６Ｂを備えているが、反射構造物１２が３つ以上の周壁を備えていてもよい。この場合、反射構造物１２は、第２焦点（ｆ２）を中心としてその周り方向へ並ぶ３つ以上の周壁と、それら周壁の外周面全域を被覆保護する保護壁とから作られる。それら周壁は、前後方向と交差する方向（一方向と交差する方向）の断面形状が楕円形に成形された内外周面を有する。それら周壁の内側には、それら周壁の内周面に囲繞された３つ以上の楕円スペースが画成される。３つ以上の周壁を備えた反射構造物１２では、第２焦点（ｆ２）近傍においてそれら周壁どうしが互いに連結され、かつ、それら周壁のうちの連結部位から互いに重なり合う部分が存在せず、各楕円スペースが第２焦点（ｆ２）を共有しつつ第２焦点（ｆ２）から離間する第１焦点（ｆ１）を別々に有する。反射構造物１２が３つ以上の周壁を備えている場合、それら周壁の内周面において反射された赤外線は第２焦点（ｆ２）にその周り方向から集束する。
【００４０】
加熱装置１０Ｂでは、図１１に示すように、２つの楕円周壁１６Ａ，１６Ｂが第２焦点（ｆ２）を中心として任意の角度で連結されていてもよい。なお、それら周壁１６Ａ，１６Ｂの連結角度は、自由に設定することができる。この場合でも、周壁１６Ａ，１６Ｂの内周面１５において反射された赤外線は第２焦点（ｆ２）にその周り方向から集束する。また、図１および図７の加熱装置１０Ａ，１０Ｂでは、楕円周壁１６Ａ，１６Ｂが曲線によって形作られているが、周壁１６Ａ，１６Ｂにおける楕円形状を形作る線は曲線に限定されず、たとえば、複数の短い直線の連結によって周壁１６Ａ，１６Ｂの実質的な楕円が形成されていてもよい。
【００４１】
それら加熱装置１０Ａ，１０Ｂでは、電気ヒーター１１に替えて、バーナー燃焼ユニットを熱源として利用することができる。バーナー燃焼ユニットは、バーナーと、長手方向へ直状に延びるヒーター管１３，１３Ａ，１３Ｂ（熱源）と、燃焼ガスをバーナーからヒーター管１３，１３Ａ，１３Ｂに向かって給気する送風機と、バーナーにオイルまたはガスを供給する供給器と、燃焼をコントロールするコントローラとから形成されている。ヒーター管１３，１３Ａ，１３Ｂは、その断面形状が円形の円筒状に成形され、その外周面全域に放射物質が塗布されている。
【００４２】
バーナー燃焼ユニットでは、供給器からバーナーにオイルまたはガスが供給され、バーナーにおいてオイルやガスを燃焼させて所定温度の燃焼ガスを発生させる。燃焼ガスは、送風機によってバーナーからヒーター管１３，１３Ａ，１３Ｂに流入し、ヒーター管１３，１３Ａ，１３Ｂを通って排気管に排気される。ヒーター管１３，１３Ａ，１３Ｂは、燃焼ガスの流入によって加熱され、その外周面全域から周り方向外方へ赤外線を放射（発生）する。バーナー燃焼ユニットでは、バーナーへのオイルやガスの供給量や空気の給気量、送風機の出力等がコントローラによって調節され、燃焼ガスの燃焼温度が設定温度に保持される。
【図面の簡単な説明】
【００４３】
【図１】一例として示す加熱装置の斜視図。
【図２】周壁および保護壁の一部を破断して示す図１と同様の斜視図。
【図３】図１の３−３線端面図。
【図４】周壁の内周面と楕円スペースとを模式的に示す図。
【図５】周壁の内周面における赤外線の反射状態を示す図４と同様の図。
【図６】ターゲットの移動手段の一例を示す図。
【図７】他の一例として示す加熱装置の斜視図。
【図８】図７の８−８線端面図。
【図９】周壁の内周面と楕円スペースとを模式的に示す図。
【図１０】周壁の内周面における赤外線の反射状態を示す図９と同様の図。
【図１１】図７とは異なる態様の内周面と楕円スペースとを模式的に示す図。
【符号の説明】
【００４４】
１０Ａ  加熱装置
１０Ｂ  加熱装置
１２    反射構造物
１３    ヒーター管（熱源）
１３Ａ  第１ヒーター管（熱源）
１３Ｂ  第２ヒーター管（熱源）
１５    内周面
１６    周壁
１６Ａ  第１周壁
１６Ｂ  第２周壁
１９    楕円スペース
１９Ａ  第１楕円スペース
１９Ｂ  第２楕円スペース
２４    ターゲット
ｆ１    第１焦点
ｆ２    第２焦点
【図１】
2010092594.tif 000003
【図２】
2010092594.tif 000004
【図３】
2010092594.tif 000005
【図４】
2010092594.tif 000006
【図５】
2010092594.tif 000007
【図６】
2010092594.tif 000008
【図７】
2010092594.tif 000009
【図８】
2010092594.tif 000010
【図９】
2010092594.tif 000011
【図１０】
2010092594.tif 000012
【図１１】
2010092594.tif 000013